(57)【要約】【課題】日常生活で使用する手帳等の保存に有用なカバーを提供する。【解決手段】このカバーは、二層のシート１６により両側に開口１６１を有する袋状に形成された二つの設置部分１１、１３と、一層のシート１６により二つの設置部分１１、１３の間に形成され、ホールを穿設されたホール部分１２とを具備し、ホール部分１２の中央で折って、左右２面のカバー１５に形成される。この左右２面の設置部分１１、１３に手帳等を装着して、ホール部分１２をバインダーの閉じ具に結合することにより、手帳等がバインダー内に綴じられる。【選択図】　図２
2004009560.tif 000002
【特許請求の範囲】
【請求項１】
プラスティック製の二層のシートにより両側に開口を有する袋状に形成された二つの設置部分と、プラスティック製の一層のシートにより二つの設置部分の間に形成され、穴を穿設するホール部分とを具備し、ホール部分の中央で折って、左右２面のカバーに形成され、左右２面の設置部分に手帳又は冊子又はこれに類するものを装着して、ホール部分をバインダーの閉じ具に結合することにより、手帳又は冊子又はこれに類するものをバインダー内に綴じ込み可能に構成したことを特徴とするルーズリーフ型簡易カバー。
【請求項２】
カバーのシート表面に切り込みを入れて、少なくとも一つ以上のポケットが形成される請求項１に記載のルーズリーフ型簡易カバー。
【請求項３】
カバーのシート表面に少なくとも一つ以上のポケットが貼着されることを特徴とする請求項１に記載のルーズリーフ型簡易カバー。
【請求項４】
プラスティック製の二層のシートにより両側に開口を有する袋状に形成された設置部分と、プラスティック製の一層のシートにより設置部分に連接して形成され、穴を穿設するホール部分と、ホール部分に連接する設置部分に折り曲げ可能に形成された蓋とを具備し、一面のカバーに形成され、一面の設置部分に手帳又は冊子又はこれに類するものを蓋を押さえにして装着して、ホール部分をバインダーの閉じ具に結合することにより、手帳又は冊子又はこれに類するものをバインダー内に綴じ込み可能に構成したことを特徴とするルーズリーフ型簡易カバー。
【請求項５】
カバーのシート表面に切り込みを入れて、少なくとも一つ以上のポケットが形成される請求項４に記載のルーズリーフ型簡易カバー。
【請求項６】
カバーのシート表面に少なくとも一つ以上のポケットが貼着されることを特徴とする請求項４に記載のルーズリーフ型簡易カバー。
【発明の詳細な説明】
【０００１】
【発明の属する技術分野】
本発明は、手帳、小冊子、あるいは新聞などの保存に使用するルーズリーフ型簡易カバーに関する。
【０００２】
【従来の技術】
日常生活の中には、様々な小冊子が溢れ返っている。これらの小冊子はカタログであったり、ユーザー用の手引き或いは操作・メンテナンス関連のものであったりする。また、これらの小冊子には時としてディスクやフロッピー（登録商標）・磁気カード・保証カード・保証書或いは各種機関や会社の計画書・レポート等が添付されていることがある。
【０００３】
【発明が解決しようとする課題】
これらの小冊子に共通していることは、随時必要とするツール書であり、ページ数が少なく、版面が小さい、手帳型或いは本型（書物の形）になっていて、保存する上では、大変不便である。
例えば手引き、資料等を保存する上で、常に次のような問題が発生する。
（１）本棚の上に真っ直ぐに置いても曲がりやすく、他の本との高さが不揃いである為、見た目が悪い。
（２）厚さが薄い為、本の中に埋もれてしまい、探しにくい。
（３）小冊子ごとにサイズが異なり、引出しの中に入れても統一して入れにくい。また探す時も容易でない。
また、手引き、資料等を資料袋で保存する場合は、ペーパー型の資料であれば便利であるが、冊子型の資料或いはカタログであれば、次のような問題がある。
（１）クリア資料袋等では、資料袋の中に入れた小冊子を固定することができず、袋の中で動く為、資料袋が破損することがある。
（２）冊子のサイズが資料袋より小さい場合、それが資料袋の下方に集まり、“だるま状”の資料袋になる。
（３）冊子を資料袋の下方に置いた場合、取り出す際に不便である上、この冊子を取り出して使用した後、資料袋に入れ忘れると、それきり紛失することもある。
（４）使用頻度の高い手引きの場合は、この手引きを資料袋の中に入れてしまうと、それを読む都度資料袋の中から取り出さなければならないため、不便である。また、使用後この手引きを資料袋に入れ忘れると、次回使用する時に見つからないという状態が起こり易い。
また、手引き、資料等にパンチで穴を開け、綴じ具で固定して保存する方法を取る場合、次のような問題がある。
（１）穴を開ければ冊子を破壊してしまい、資料内の文字や図が欠ける為、資料の完全性を確保することができず、且つ全体的な美観を損なうことにもなる。
（２）穴を開けるために別途パンチを購入する必要がある。市販のバインダーや綴じ具の種類が多く、異なる穴には異なるパンチを購入しなければならず、使い勝手が悪い。
（３）ディスクやフロッピー・磁気カード・保証カード・保証書を添付している手引きの場合、これらの添付物と手引き、資料を分けて保存することが多く、使用する際に探すのが困難である。
本発明は、このような従来の問題を解決するもので、日常生活の中で使用する手帳型又は本型の種々の小冊子等の保存に有用なルーズリーフ型簡易カバーを提供することを目的とする。
【０００４】
【課題を解決するための手段】
上記目的を達成するために、本発明のルーズリーフ型簡易カバーは、プラスティック製の二層のシートにより両側に開口を有する袋状に形成された二つの設置部分と、プラスティック製の一層のシートにより二つの設置部分の間に形成され、穴を穿設するホール部分とを具備し、ホール部分の中央で折って、左右２面のカバーに形成され、左右２面の設置部分に手帳又は冊子又はこれに類するものを装着して、ホール部分をバインダーの閉じ具に結合することにより、手帳又は冊子又はこれに類するものをバインダー内に綴じ込み可能に構成される。
このカバーにより、日常的に利用する手帳又は冊子又はこれに類するものをバインダー内に綴じ込むことができ、これら手帳、小冊子等を整理して、確実に保管、保存することができ、また、これら手帳、小冊子等を利用し易くすることができる。
また、このルーズリーフ型簡易カバーは、カバーのシート表面に切り込みを入れて、少なくとも一つ以上のポケットが形成される。
これにより、カバーのポケットに、ディスク・フロッピー・磁気カード・保証カード・保証書を収納することができ、これら手引き等の添付物を手引き等とともにバインダー内に保管、保存することができる。
また、このルーズリーフ型簡易カバーは、カバーのシート表面に少なくとも一つ以上のポケットが貼着される。
これにより、カバーのポケットに、ディスク・フロッピー・磁気カード・保証カード・保証書を収納することができ、これら手引き等の添付物を手引き等とともにバインダー内に保管、保存することができる。
【０００５】
また、本発明のルーズリーフ型簡易カバーは、プラスティック製の二層のシートにより両側に開口を有する袋状に形成された設置部分と、プラスティック製の一層のシートにより設置部分に連接して形成され、穴を穿設するホール部分と、ホール部分に連接する設置部分に折り曲げ可能に形成された蓋とを具備し、一面のカバーに形成され、一面の設置部分に手帳又は冊子又はこれに類するものを蓋を押さえにして装着して、ホール部分をバインダーの閉じ具に結合することにより、手帳又は冊子又はこれに類するものをバインダー内に綴じ込み可能に構成される。
このカバーにより、日常的に利用する手帳又は冊子又はこれに類するものをバインダー内に綴じ込むことができ、これら手帳、小冊子等を整理して、確実に保管、保存することができ、また、これら手帳、小冊子等を利用し易くすることができる。
また、このルーズリーフ型簡易カバーは、カバーのシート表面に切り込みを入れて、少なくとも一つ以上のポケットが形成される。
これにより、カバーのポケットに、ディスク・フロッピー・磁気カード・保証カード・保証書を収納することができ、これら手引き等の添付物を手引き等とともにバインダー内に保管、保存することができる。
また、このルーズリーフ型簡易カバーは、カバーのシート表面に少なくとも一つ以上のポケットが貼着される。
この構成により、カバーのポケットに、ディスク・フロッピー・磁気カード・保証カード・保証書を収納することができ、これら手引き等の添付物を手引き等とともにバインダー内に保管、保存することができる。
【０００６】
【発明の実施の形態】
以下、図を用いて本発明の実施の形態について説明する。
（実施の形態１）
図１乃至図１０に本発明の第１の実施の形態を示している。図１及び図２において、ルーズリーフ型簡易手帳カバー（以下、単に手帳カバーという。）１０は全体がプラスティックで形成され、手帳を保持するための二つの設置部分１１、１３と、この手帳カバー１０を綴じ具に固定するためのホール部分１２とを備えている。二つの設置部分１１、１３は、図３に示すよう、２層構造になっていて、手帳カバー１０の外層（のシート）１０ａと内層（のシート）１０ｂとを具備している。ホール部分１２は、図４に示すように、一層構造になっていて、これが手帳カバーの外層１０ａになり、二つの設置部分１１、１３の外層１０ａと一体になっている。ホール部分１２の中央には折れ線１４があり、この折れ線１４で手帳カバー１０を半分に折れば左右二面のカバー１５になる。左右二面１５の２シート層の仕組みにより、手帳カバー１０の左右両面の二つの設置部分１１、１３は袋型のシート１６になっている。この場合、袋型のシート１６の上下端はカバー１５と一体化され、両側に開口１６１が設けられている。また、図５に示すように、手帳カバー１０が半分に折られた状態で、ホール部分１２の表面に一列のホール１７が作られている。つまり、手帳カバー１０の表紙となる２面のカバー１５の表にホール１７が対称的に設けられている。なお、このホール１７は予め穿設して完成させておくことができるが、消費者がＤＩＹの方法で実施することもできる。一列のホール１７はリング等の綴じ具に通して使用する為である。
【０００７】
図６乃至図９に手帳カバー１０と手帳２０を組み合わせる手順を示している。図６に示すように、まず、手帳２０の二枚の表紙２０１を手帳カバー１０の左右二面の袋型のシート１６に（内側の）開口１６１より挿入し、表紙２０１の側縁２０１ａが袋型のシート１６の開口１６１縁部まで差し込む。この差し込みを完了したところで、図７に示すように、手帳２０を閉じてこの時半分に折った手帳カバー１０を後ろに移動し、図８、図９に示すように、手帳カバー１０が止まるまでホール部分１２を手帳２０の外に引っ張り出す。これにより手帳２０の後ろ端には一部分のホール部分１２が残る。
【０００８】
図１０に手帳２０を装着した手帳カバー１０をバインダー３０の中に固定した状態を示している。図１０に示すように、手帳カバー１０のホール部分１２は既に手帳２０の外側に引っ張り出された後であり、この手帳カバー１０はバインダー３０内に入れられて、ホール部分１２の表面に一列を成すホール１７に、バインダー３０内にある綴じ具４０のリング４１が通されて固定されている。このルーズリーフ型の手帳バインダーによって、バインダー３０から手帳２０が脱落することがなく、手帳２０をめくりやすく、読みやすくするとともに、紛失することもない。また手帳２０の表面は二枚の袋型のシート１６によって包まれている為、表紙を汚さずに清潔に保つことができる。
【０００９】
（実施の形態２）
図１１乃至図１６に本発明の第２の実施の形態を示している。この実施の形態では、開放式カバーを例示している。図１１において、手帳カバー１０の設置部分１１、１３は開口型のシート１６’になっていて、設置部分１１、１３の幅は袋型のシート１６よりも狭い。
【００１０】
図１２乃至図１５に手帳カバー（開放式カバー）１０と手帳２０を組み合せる手順を示している。図１２に示すように、まず、手帳２０の表裏表紙２０１を手帳カバー１０の左右二面のシート１６’に内側の開口から外側の開口１６１まで差し込む。この差し込みを完了したら、図１３に示すように、手帳２０を閉じて、半分に折った手帳カバー１０を後ろに移動し、図１４、図１５に示すように、ホール部分１２を手帳２０の外側まで引っ張り出し、二面のシート１６’を背表紙２２のところまで移動する。このようすると、シート１６’は表紙と中ページとの間に挟まれる為、それ以上移動せず、固定することができる。
【００１１】
図１６に手帳２０を装着した手帳カバー１０をバインダー３０内に固定した状態を示している。図１６に示すように、手帳カバー１０のホール部分１２は既に手帳（又は冊子）２０の背表紙の後ろまで引っ張り出された後であり、このカバー１０がバインダー３０内に入れられて、そのホール部分１２の表面にある一列のホール１７に、バインダー３０の中にある綴じ具４０のリング４１が通されて固定されている。このルーズリーフ型の手引きバインダーによって、バインダー３０から手帳２０が脱落することがなく、手帳２０を読みやすくするとともに、紛失することもない。
【００１２】
なお、図１７に示すように、手帳２０のサイズが小さい場合は、サイズの小さい手帳２０を二冊或いは三冊一面（一つのバインダー３０）に綴じることができる。このようにすることにより、一つのバインダー３０を有効に利用して、複数の手帳２０を多くの収納スペースを取ることなく効率的に保管、保存することができる。
【００１３】
（実施の形態３）
図１８乃至図２５に本発明の第３の実施の形態を示している。この実施の形態では、シングル式カバーを例示している。図１８及び図１９において、手帳カバー１０は半分に折る必要のないカバーであり、設置部分１１とホール部分１２によって構成されている。設置部分１１は開口型のシート１６’になっていて、二つの部分が重なる位置の外層側が裁断（或いはカッターによって裁断する方法）により台形の点線１２０のとおり切り抜かれ、そこに（台形の点線１２０に）蓋１２１が作られている。この蓋１２１はルーズリーフの様な使用効果があり、図２０、図２１に示すように、外側から内側の上方に曲げることができる。
【００１４】
図２２及び図２３に手帳カバー（シングル式カバー）１０と手帳２０を組み合わせる手順を示している。図２２に示すように、まず、手帳２０の表紙２０１を手帳カバー１０のシート１６’に開口より差し込む。この差し込みを完了したら、手帳２０を閉じて、半分に折った手帳カバー１０を後ろの方に移動し、図２３に示すように、ホール部分１２を手帳２０の外に引っ張り出し、シート１６’を背表紙２２まで移動する。このようにすると、シート１６’は表紙２０１と背表紙２２の部分に当たるため、それ以上後ろに移動せず、固定することができる。更に蓋１２１を折り、手帳２０のもう一方の表紙２０１の下に当てれば、手帳２０を押さえることができ、確実な固定効果を得ることができる。
【００１５】
なお、図２４に示すように、シート１６’の幅を設置部分１１と同じ幅で、手帳２０の表紙２０１とも同じ幅にしてもよく、このようにしても同様にして手帳２０と組み合わせることができる。
【００１６】
図２５に手帳２０に装着した手帳カバー１０をバインダー３０内に固定した状態を示している。図２５に示すように、手帳カバー１０のホール部分１２は既に手帳の背表紙２２の後ろまで引っ張り出されていて、このカバー１０がバインダー３０内に入れられて、そのホール部分１２の表面に一列を成すホール１７に、バインダー３０内の綴じ具４０のリング４１が通されて固定されている。この手帳カバー１０がバインダー３０の中に固定されたルーズリーフ型の手引きバインダーによって、バインダー３０から手帳２０が脱落することがなく、手帳２０をめくりやすく、読みやすくするとともに、紛失することもない。
【００１７】
なお、図２６に示すように、手帳２０のサイズが小さい場合、二冊或いは三冊の手帳２０を一面（一つのバインダー３０内）に綴じることができる。このようにすると、一つのバインダー３０を有効に利用して、複数の手帳２０を多くの収納スペースを取ることなく効率的に保管、保存することができる。
【００１８】
（実施の形態４）
図２７及び図２８に本発明の第４の実施の形態を示している。この実施の形態では、上記各実施の形態で利用できる添付物の収納部について例示されている。図２７に示すように、手帳カバー１０のシート１６の表面に一つの切り込み１８４を設けることができる。ここでは、シートの袋１８１の３つの辺を超音波技術によりシート１６の表面に貼り着け固定し、上の辺を差込口として残している。同じようにして、シートの袋を一つ以上設置することができ、図２７中、左面のカバー１５にシートの袋１８１、１８２、１８３を三つ重ねて設置している。このようにすると、図２８に示すように、手帳カバー１０のシートの袋１８１、１８２、１８３を利用して、プロフィール資料５０或いは名刺、保証カード、ディスク、フロッピー、磁気カード等を保存することができる。
【００１９】
（実施の形態５）
図２９及び図３０に本発明の第５の実施の形態を示している。この実施の形態では、新聞型の読み物に適用したカバーを例示している。なお、このカバーは上記各実施の形態と同様の基本構成を備えていて、全体が新聞型の読み物に対応できるように構成されている。このカバーの場合、折れ線１４で半分に折った後、新聞をカバー１０の開口型のシート１６’の開口１６１よりカバー１０の一辺の設置部分１１に通すことにより、新聞のバインダーとして使用することができ、カバー１０の後ろにある一列のホール１７はセッティングの時に用いることができる。このようにしても新聞型の読み物について、上記各実施の形態と同様の作用効果を奏することができる。
【００２０】
【発明の効果】
以上説明したように、本発明によれば、カバーの設置部分に手帳又は冊子又はこれに類するものを装着して、ホール部分をバインダーの閉じ具に結合することにより、手帳又は冊子又はこれに類するものをバインダー内に綴じ込むことができ、日常生活で利用する手帳、小冊子等の保存に有用なルーズリーフ型簡易カバーを実現することができ、特に、次のような顕著な効果を奏することができる。
（１）小型の手引き、カタログ、資料などをこのカバーに入れて、バインダー内に簡単に固定することができ、これをルーズリーフ型の閲読バインダーとして利用することにより、手引き等の使用時に手引き等を取り出すことなく、直接めくって、迅速に閲読できるなど利便性の向上を図ることができる。
（２）手引き等をバインダー内に保存することで、手引き等が湾曲変形することがなく、手引き等を整理しやすくすることができる。また必要がなければ手引き等をバインダーから取り出すことがないので、手引き等の紛失を確実に防止することができる。
（３）手引き等に直接穴を開けたりしないので、手引き等の完全性及び美観性を保つことができる。
（４）手引き等をバインダーに保管するので、本棚或いは引き出しの中に置いても、手引き等を使用する時に容易に見つけることができる。また、手引き等をバインダーによって保護しているので、破れたりすることがなく、長期間に亘って確実に保存することができる。
（５）手引き等のサイズによって、一冊或いは数冊の手引きを一面にして一つのバインダー内に固定することもでき、これによりその収納スペースを減らすことができ、またバインダーがだるま状態になるのを回避することもできる。
（６）手引き等の表面をカバーで包装することができるので、手引き等を汚すことがなく、確実に保護することができる。
（７）カバーの中にポケット或いは切り込みを付けることにより、ディスク・フロッピー・磁気カード・保証カード・保証書を一緒に保存することができる。
【図面の簡単な説明】
【図１】本発明の第１の実施の形態におけるルーズリーフ型簡易カバーの展開図
【図２】同カバーの斜視図
【図３】同カバーの断面図（図１における４−４線断面図）
【図４】同カバーの断面図（図１における３−３線断面図）
【図５】同カバーをホール部分の中央で半分に折った状態の斜視図
【図６】同カバーと手帳とを組み合わせる手順を示し、２面の設置部分に手帳の表紙を装着した状態を示す斜視図
【図７】同カバーと手帳とを組み合わせる手順を示し、２面の設置部分に手帳の表紙を装着後、手帳カバーを手帳に対して後ろに移動している状態を示す斜視図
【図８】同カバーと手帳とを組み合わせる手順を示し、２面の設置部分に手帳の表紙を装着後、カバーを手帳に対して後ろに移動して、ホール部分を手帳の外に引っ張り出した状態を示す平面図
【図９】同カバーと手帳とを組み合わせる手順を示す、図８における部分拡大平面図
【図１０】同カバーに手帳を装着して、バインダー内に固定した状態を示す斜視図
【図１１】本発明の第２の実施の形態におけるルーズリーフ型簡易カバーの斜視図
【図１２】同カバーと手帳とを組み合わせる手順を示し、２面の設置部分に手帳の表紙を装着した状態を示す斜視図
【図１３】同カバーと手帳とを組み合わせる手順を示し、２面の設置部分に手帳の表紙を装着後、カバーを手帳に対して後ろに移動している状態を示す斜視図
【図１４】同カバーと手帳とを組み合わせる手順を示し、２面の設置部分に手帳の表紙を装着後、カバーを手帳に対して後ろに移動して、ホール部分を手帳の外に引っ張り出した状態を示す平面図
【図１５】同カバーと手帳とを組み合わせる手順を示す、図１４における部分拡大平面図
【図１６】同カバーに手帳を装着して、バインダー内に固定した状態を示す斜視図
【図１７】同カバーにサイズの小さい手帳を複数装着して、バインダー内に固定した状態を示す斜視図
【図１８】本発明の第３の実施の形態におけるルーズリーフ型簡易カバーの斜視図
【図１９】同カバーの側面図（蓋を折り曲げていない状態）
【図２０】同カバーの平面断面図（図１９における１８−１８線断面図）
【図２１】同カバーの側面図（蓋を折り曲げた状態）
【図２２】同カバーと手帳とを組み合わせる手順を示し、１面の設置部分に手帳の表紙を蓋で押さえて装着した後、カバーを手帳に対して後ろに移動している状態を示す斜視図
【図２３】同カバーと手帳とを組み合わせる手順を示し、１面の設置部分に手帳の表紙を蓋で押さえて装着した後、カバーを手帳に対して後ろに移動して、ホール部分を手帳の外に引っ張り出した状態を示す平面図
【図２４】同カバーのシートの幅を設置部分と同じ幅で、手帳の表紙とも同じ幅にして、手帳と組み合わせた状態を示す斜視図
【図２５】同カバーに手帳を装着して、バインダー内に固定した状態を示す斜視図
【図２６】同カバーにサイズの小さい手帳を複数装着して、バインダー内に固定した状態を示す斜視図
【図２７】本発明の第４の実施の形態におけるルーズリーフ型簡易カバーの展開図
【図２８】同カバーの使用例を示す展開図
【図２９】本発明の第５の実施の形態におけるルーズリーフ型簡易カバーを示し、カバーに新聞を装着している状態を示す側面図
【図３０】同カバーに新聞を装着した後の側面図
【符号の説明】
１０　ルーズリーフ型簡易手帳カバー（手帳カバー）
１０ａ　外層（外層のシート）
１０ｂ　内層（内層のシート）
１１、１３　設置部分
１２　ホール部分
１２０　台形の点線
１２１　蓋
１４　折れ線
１５　カバー
１６　袋型のシート
１６’　開口型のシート
１６１　開口
１７　ホール
１８１、１８２、１８３　シートの袋
２０　手帳
２０１　表紙
２０１ａ　側縁
３０　バインダー
４０　綴じ具
４１　リング
【図１】
2004009560.tif 000003
【図２】
2004009560.tif 000004
【図３】
2004009560.tif 000005
【図４】
2004009560.tif 000006
【図５】
2004009560.tif 000007
【図６】
2004009560.tif 000008
【図７】
2004009560.tif 000009
【図８】
2004009560.tif 000010
【図９】
2004009560.tif 000011
【図１０】
2004009560.tif 000012
【図１１】
2004009560.tif 000013
【図１２】
2004009560.tif 000014
【図１３】
2004009560.tif 000015
【図１４】
2004009560.tif 000016
【図１５】
2004009560.tif 000017
【図１６】
2004009560.tif 000018
【図１７】
2004009560.tif 000019
【図１８】
2004009560.tif 000020
【図１９】
2004009560.tif 000021
【図２０】
2004009560.tif 000022
【図２１】
2004009560.tif 000023
【図２２】
2004009560.tif 000024
【図２３】
2004009560.tif 000025
【図２４】
2004009560.tif 000026
【図２５】
2004009560.tif 000027
【図２６】
2004009560.tif 000028
【図２７】
2004009560.tif 000029
【図２８】
2004009560.tif 000030
【図２９】
2004009560.tif 000031
【図３０】
2004009560.tif 000032